(57)【要約】  【課題】制光体21の隣接部にて四角形環状のランプ12の遮光角を得ることができる照明器具11を提供する。  【解決手段】器具本体20の照射開口22に、四角形環状のランプ12のそれぞれの辺13に対向して追い回し状に４つの制光体21をそれぞれ取り付け、制光体21の互いの隣接部がそれぞれランプ12の角部14の近傍の辺13と交差する方向に沿って遮光部64を形成することにより、制光体21の隣接部にて四角形環状のランプ12の遮光角を得ることができる。  【選択図】図１
2005327576.tif 000002
【特許請求の範囲】
【請求項１】
照射開口を備えた器具本体と；
照射開口に臨んで器具本体に取り付けられる多角形環状のランプと；
このランプの各辺に対向して追い回し状に照射開口にそれぞれ取り付けられ、互いの隣接部がランプの辺に交差する方向に沿って遮光部を形成する複数の制光体と；
を具備していることを特徴とした照明器具。
【請求項２】
ランプの各辺に対向して器具本体に設けられ、ランプの各角部で互いに略等角度で連結される複数の反射板を具備している
ことを特徴とした請求項１記載の照明器具。
【請求項３】
制光体は、ランプの各角部に対応する位置に、制光体の幅方向に対して傾斜状の傾斜制光片をそれぞれ備えている
ことを特徴とした請求項１または２記載の照明器具。
【請求項４】
照射開口の外側縁部と各制光体との間に設けられ、制光体を照射開口に対して開閉可能にするヒンジを具備している
ことを特徴とした請求項１ないし３いずれか一記載の照明器具。
【発明の詳細な説明】
【技術分野】
【０００１】
本発明は、照射開口に臨んで器具本体に取り付けられる多角形環状のランプを備えた照明器具に関する。
【背景技術】
【０００２】
従来、天井に埋め込む天井埋込形の照明器具としては、例えばＴバーをグリッド状に組んだシステム天井に設置されるものがある。この照明器具は、長方形箱状の４つの器具本体を備え、これら器具本体がロ字状に配置されている。そして、各器具本体には、四角形状のカバーが取り付けられ、枠部が形成され、この枠部と４つの器具本体の外側部とで、略ロ字状の照射開口が形成される。この照射開口には、照射開口との間の各辺に、直管型の蛍光ランプがそれぞれ取り付けられる。そして、照射開口には、枠部との間の略ロ字状の部分に、略ロ字状の制光体が蛍光ランプに対向して着脱可能に取り付けられる。この制光体は、例えばＶばねなどにより各々の器具本体に固定される（例えば、特許文献１参照。）。
【特許文献１】特開平１−２３２６０４号公報（第２−３頁、第７図）
【発明の開示】
【発明が解決しようとする課題】
【０００３】
ところで、近年、発光管が例えば四角形環状の蛍光ランプが開発されてきている。
【０００４】
そして、このような蛍光ランプを天井埋込形の照明器具に用いると、従来殆ど発光領域として用いられていなかった照明器具のコーナ部が発光領域として用いられることになる。
【０００５】
すなわち、上記特許文献１記載の構成では、追い回し状に配置された照明器具の制光体が、その各端部にて非発光領域である直管型のランプのソケット部分が位置するので、それらの近傍の領域では、遮光角を殆ど考慮しなくてよかったが、四角形環状の蛍光ランプにおいては、殆どの領域が発光領域となるので、略全周に亘って遮光角を確保する必要がある。
【０００６】
したがって、従来のような照明器具の制光体の構成をそのまま四角形環状の蛍光ランプに用いると、各制光体の隣接部にて蛍光ランプの遮光角を得ることができないという問題がある。
【０００７】
本発明は、このような点に鑑みなされたもので、制光体の隣接部にて多角形環状のランプの遮光角を得ることができる照明器具を提供することを目的とする。
【課題を解決するための手段】
【０００８】
請求項１記載の照明器具は、照射開口を備えた器具本体と；照射開口に臨んで器具本体に取り付けられる多角形環状のランプと；このランプの各辺に対向して追い回し状に照射開口にそれぞれ取り付けられ、互いの隣接部がランプの辺に交差する方向に沿って遮光部を形成する複数の制光体と；を具備しているものである。
【０００９】
そして、器具本体の照射開口に、多角形環状のランプのそれぞれの辺に対向して追い回し状に複数の制光体をそれぞれ取り付け、これら制光体の互いの隣接部がランプの辺と交差する方向に沿って遮光部を形成することにより、制光体の隣接部にて多角形環状のランプの遮光角を得ることができる。
【００１０】
請求項２記載の照明器具は、請求項１記載の照明器具において、ランプの各辺に対向して器具本体に設けられ、ランプの各角部で互いに略等角度で連結される複数の反射板を具備しているものである。
【００１１】
そして、多角形環状のランプの各辺に対向する反射板を、ランプの各角部でそれぞれ互いに略等角度で連結することで、発光効率が他の部分よりも低いランプの各角部で反射板により効率よく光を反射させるので、ランプの各角部の領域が他の領域よりも暗部となることを防止できる。
【００１２】
請求項３記載の照明器具は、請求項１または２記載の照明器具において、制光体は、ランプの各角部に対応する位置に、制光体の幅方向に対して傾斜状の傾斜制光片をそれぞれ備えているものである。
【００１３】
そして、制光体のランプの各角部に対応する位置に、制光体の幅方向に対して傾斜状に傾斜制光片を設けることで、傾斜制光片の制光面に対して直交する方向における遮光角を確保できるので、ランプの角部の光を制御することが可能になる。
【００１４】
請求項４記載の照明器具は、請求項１ないし３いずれか一記載の照明器具において、照射開口の外側縁部と各制光体との間に設けられ、制光体を照射開口に対して開閉可能にするヒンジを具備しているものである。
【００１５】
そして、照射開口の外側縁部と各制光体との間に、制光体を照射開口に対して開閉可能にするヒンジを設けることにより、制光体を照射開口に対して開けた状態とすることで制光体を器具本体から取り外すことなくランプの交換の作業性を向上することが可能になる。
【発明の効果】
【００１６】
請求項１記載の照明器具によれば、器具本体の照射開口に、多角形環状のランプのそれぞれの辺に対向して追い回し状に複数の制光体をそれぞれ取り付け、これら制光体の互いの隣接部がランプの辺と交差する方向に沿って遮光部を形成することにより、制光体の隣接部にて多角形環状のランプの遮光角を得ることができる。
【００１７】
請求項２記載の照明器具によれば、請求項１記載の照明器具の効果に加えて、多角形環状のランプの各辺に対向する反射板を、ランプの各角部でそれぞれ互いに略等角度で連結することで、発光効率が他の部分よりも低いランプの各角部で反射板により効率よく光を反射させるので、ランプの各角部の領域が他の領域よりも暗部となることを防止できる。
【００１８】
請求項３記載の照明器具によれば、請求項１または２記載の照明器具の効果に加えて、制光体のランプの各角部に対応する位置に、制光体の幅方向に対して傾斜状に傾斜制光片を設けることで、傾斜制光片の制光面に対して直交する方向における遮光角を確保できるので、ランプの角部の光を制御できる。
【００１９】
請求項４記載の照明器具によれば、請求項１ないし３いずれか一記載の照明器具の効果に加えて、照射開口の外側縁部と各制光体との間に、制光体を照射開口に対して開閉可能にするヒンジを設けることにより、制光体を照射開口に対して開けた状態とすることで制光体を器具本体から取り外すことなくランプの交換の作業性を向上できる。
【発明を実施するための最良の形態】
【００２０】
以下、本発明の一実施の形態を図面を参照して説明する。
【００２１】
図１ないし図７に第１の実施の形態を示し、図１は照明器具を示す平面図、図２は照明器具の器具本体を示す斜視図、図３は器具本体の一部を拡大して示す斜視図、図４は照明器具の制光体の一部を拡大して示す斜視図、図５は制光体の一部を拡大して示す斜視図、図６は照明器具の制光体を示す斜視図、図７は照明器具の一部を示す側面図である。
【００２２】
図１ないし図７において、照明器具11は、例えばＴバーをグリッド状に組んだシステム天井に設置される天井埋込形であって、多角形環状、例えば四角形環状（正方形環状）のランプ12を使用する。このランプ12は、蛍光ランプであり、直線状の４つの辺13およびこれら４つの辺13の端部間を略直角に接続する４つの角部14を有する四角形環状に形成された発光管15、およびこの発光管15の一辺中央で発光管15の両端を接続する口金16を備え、この口金16の内周面側には発光管15の両端に設けられる図示しない電極に接続された図示しない接続ピンが突設されている。
【００２３】
そして、照明器具11は、器具本体20と、この器具本体20に取り付けられる複数、例えば４つのアクセサリすなわち制光体21とを有している。
【００２４】
器具本体20は、下面に四角形状の照射開口22を有する四角形箱状に形成されており、四角形状の天板部23、この天板部23の周縁部から下方へ折曲形成された側板部24、およびこの側板部24の下端周囲に略Ｌ字状に折曲形成された枠部25を備えている。この器具本体20の枠部25の外径寸法は、システム天井のＴバーによって四方が囲まれた埋込開口の内寸よりも小さく形成されている。
【００２５】
天板部23の中央領域には四角形状（長方形状）の開口部26が開口形成され、器具本体20の一方の相対する平行な辺に位置する両側板部24の中央部近傍には、Ｔバーに取り付けるための取付部29が取り付けられている。
【００２６】
器具本体20内の中央領域には、開口部26の下面側を覆う天井付帯設備取付体31が天板部23の下面にねじ止めなどによって着脱可能に取り付けられている。この天井付帯設備取付体31は、例えば、天井構造材、透光板および天井カバーなどの天井付帯設備や、スピーカ、人感センサ、空調機器、非常灯、ダウンライトおよびカメラなどの天井付帯設備を取り付けるもので、本実施の形態では天井付帯設備として天井カバー32の例を示す。すなわち、天井付帯設備取付体31は、上面を開口した四角形箱状に形成されており、四角形状の天井カバー32、この天井カバー32の周縁部から上方へ折曲形成された側面部33、これら側面部33に器具本体20の天板部23の下面に接合されてねじ止めする図示しない取付片が形成されている。そして、天井カバー32以外の天井付帯設備を組み合わせる場合には、天井カバー32の部分などに各天井付帯設備が設置された天井付帯設備取付体31が器具本体20に取り付けられる。
【００２７】
器具本体20の天板部23と側板部24と天井付帯設備取付体31の側面部33との間には、下面を開口した四角形環状すなわち平面視略ロ字状のランプ収容部37が形成されている。このランプ収容部37には、ランプ12の光を下方へ反射させる反射板38が天板部23の下面に取り付けられ、この反射体38の下方にランプ12が収容される。
【００２８】
反射板38は、天板部23の下面に取り付けられる四角形状の取付反射部41と、この取付反射部41の両側部から下方へ向けて拡開して突設された突出反射部42とを備え、ランプ12の各角部14にて互いに略等角度、本実施の形態では略４５°に隙間なく合わせられて連結されている。
【００２９】
そして、取付反射部41は、ランプ12の各辺13に対向するように長手状に形成され、長手方向の両端部が器具本体20の四隅の位置で、この器具本体20の対角線に沿って略４５°に傾斜している。また、突出反射部42は、取付反射部41の両側部全体にそれぞれ設けられ、器具本体20の側板部24の近傍と、天井カバー32の側面部33の近傍とにそれぞれ位置し、ランプ12の各辺13の側部に対向している。
【００３０】
また、ランプ12の口金16側の辺13に対向する反射板38には、口金16を着脱可能に保持するランプ保持手段として兼用するランプソケット44が嵌合する切欠部45が、取付反射部41から天井カバー32側の突出反射部42の下端部に亘って切り欠き形成されている。
【００３１】
さらに、各側面部33の下端部近傍には、制光体21が固定される長孔状の係止孔46が長手方向に沿って開口形成されている。
【００３２】
また、器具本体20の天板部23の下面で、開口部26の一辺の縁部にはこの開口部26の縁部に沿って、ランプ12を高周波点灯させるインバータ点灯回路を有する長手状の点灯装置47が取り付けられ、この点灯装置47の一端側である電源入力側が、天井側から引き込まれる電源線を接続する図示しない電源端子台に図示しない入力線を介して接続され、点灯装置47の他端側であるランプ出力側が、ランプソケット44に図示しない出力線を介して接続されている。そして、点灯装置47および電源端子台は、天井付帯設備取付体31の内側に配置されて開口部26とともに覆われている。
【００３３】
ランプソケット44は、天板部23に形成された取付孔51を貫通して取り付けられ、ランプ収容部37に突出するランプソケット44の先端に、ランプ12の口金16を着脱可能に保持する断面略Ｕ字形のホルダ部52が形成されているとともに、このホルダ部52の基部に口金16から突出する接続ピンが差し込み接続されるソケット部53が形成されている。また、天板部23の上方に突出するランプソケット44の基端部に、点灯装置47からの出力線が挿入接続される図示しない出力線挿入孔が開口部26の方向に臨んで設けられ、出力線挿入孔に挿入接続された出力線とソケット部53とが電気的に接続される。
【００３４】
また、器具本体20のランプ収容部37に臨む天板部23には、ランプ12の発光管15の角部14をそれぞれ着脱可能に保持する複数のランプホルダ56が取り付けられている。本実施の形態では、ランプ12の口金16が設けられた辺13に相対して平行な辺13の両端の角部14の２箇所に対応して、２つのランプホルダ56が取り付けられている。
【００３５】
また、各制光体21は、図４ないし図７に示すように、ランプ収容部37の各辺に沿った細長四角形状の枠体60を有し、これら枠体60は、長手方向に互いに平行に形成され枠体60の側板となる側枠板部61，61と、これら側枠板部61，61の長手方向の両端部を互いに連結し枠体60の端板となる端枠板部62，62とを備えている。さらに、これら枠体60の両側枠板部61，61の間には、制光片としての複数のルーバ片63が枠体60の幅方向に沿って架設されている。
【００３６】
そして、これら制光体21は、追い回し状に配置されている。すなわち、これら制光体21は、一方の端枠板部62がランプ12の各角部14の近傍で、隣接する制光体21の側枠板部61に接し、長手方向の中間部がランプ12の各辺13に対向し、かつ、他方の端枠板部62が器具本体20の側板部24に接してランプ12の各角部14に対向するように配置され、平面視で略ロ字状に配置されてランプ収容部37の下部を覆っている。
【００３７】
また、各側枠板部61、各端枠板部62および各ルーバ片63は、上下方向の寸法がそれぞれ互いに略等しく形成されている。さらに、各端枠板部62および各ルーバ片63は、ランプ12の各辺13に直交する方向に沿って互いに平行に設けられ、枠体60の長手方向に互いに略等間隔に離間されている。
【００３８】
この結果、制光体21は、図７に示すように、互いに隣接する側枠板部61と端枠板部62とが、ランプ12の各角部14の近傍の辺13と交差する方向に沿ってランプ12の遮光部64を形成しているとともに、各ルーバ片63がランプ12の各辺13を遮光するように形成されている。すなわち、遮光部64は、ルーバ片63と同様の作用を有している。なお、遮光部64、あるいはルーバ片63による遮光角αは、端枠板部62およびルーバ片63の間隔、これら端枠板部62およびルーバ片63の上下方向の寸法および位置などにより決定される。
【００３９】
また、枠体60の一方の側枠板部61には、長孔状の複数、例えば一対の嵌合孔65が穿設され、これら嵌合孔65には、制光体21を照射開口22に対して開閉可能にするヒンジ66がそれぞれ突設されている。
【００４０】
各ヒンジ66は、嵌合孔65から突出する四角形平板状のヒンジ本体67と、このヒンジ本体67の先端部から下方へと屈曲された屈曲部68と、この屈曲部68の両端部に突設された突出部69とをそれぞれ有している。
【００４１】
ヒンジ本体67は、嵌合孔65全体に嵌合し、枠体60の外方へと略水平に突出している。
【００４２】
屈曲部68は、ヒンジ本体67に対して略垂直に屈曲され、器具本体20の側板部24の外方に位置する。
【００４３】
さらに、突出部69は、屈曲部68からそれぞれ突出し、枠体60の長手方向の寸法がヒンジ本体67よりも大きく形成されている。
【００４４】
そして、ヒンジ66は、器具本体20の側板部24に複数、これらヒンジ66に対応して穿設されたヒンジ係合孔71に係合される。このヒンジ係合孔71は、側板部24の長手方向に沿って長孔状の係合孔本体72と、この係合孔本体72の上端部から側板部24の長手方向に沿って延設された挿入部73とを備えている。
【００４５】
係合孔本体72は、ヒンジ66のヒンジ本体67が挿通可能な寸法、かつ突出部69が挿通できない寸法に形成されている。
【００４６】
さらに、挿入部73は、突出部69が挿通可能な寸法に形成されている。
【００４７】
また、枠体60の他方の側枠板部61には、枠体60の長手方向に沿って長孔状の挿通孔75が穿設され、この挿通孔75からは、各制光体21を器具本体20の天井カバー32に係止する係止体としてのストッパ76が突出している。
【００４８】
ストッパ76は、係止孔46に挿入されて各制光体21を天井カバー32に係止するもので、挿通孔75から進退可能な係止片77と、挿通孔75に連通して枠体60の下部に穿設された操作孔78から露出してストッパ76を操作可能にする操作部79とを有している。
【００４９】
係止片77は、平板状に設けられ、先端部が凸弧状に形成されている。
【００５０】
操作部79は、略円柱状に設けられ、係止片77から下方へと突出し、この先端部に係止片77の突出方向に沿って中央部に溝部81が設けられ、この溝部81に例えばマイナスドライバなどの工具の先端部を嵌合させて周方向に回動させることで、係止片77を挿通孔75に対して進退させる。
【００５１】
そして、照明器具11をシステム天井に施工するには、システム天井のＴバーで囲まれる埋込開口からシステム天井に配線されている電源線を引き込み、器具本体20を持ち上げながら電源線を開口部26に通し、器具本体20を取付部29が突設されている一方の側板部24から埋込開口に挿入してＴバーの上方域へ通過させ、Ｔバーの上方へ通過させた器具本体20を埋込開口上に位置合わせして下降させ、各取付部29をＴバー上に載置して取り付けることにより、器具本体20の枠部25が埋込開口の内周に嵌合する。
【００５２】
次いで、器具本体20の開口部26に通した電線の先端を電源端子台に挿入接続する。
【００５３】
さらに、ランプ12の口金16をランプソケット44に接続し、ランプ12の角部14をそれぞれランプホルダ56に嵌合させて、ランプ12を器具本体20のランプ収容部37に収容する。
【００５４】
そして、器具本体20のランプ収容部37の下面に制光体21を取り付ける。このとき、ヒンジ66の突出部69を、ヒンジ係合孔71の挿入部73に挿通させてヒンジ66のヒンジ本体67を係合孔本体72に嵌合させ、ランプ収容部37を閉めるようにヒンジ66を中心として各制光体21を回動させた後、制光体21を保持しつつストッパ76の溝部81に工具を挿入してこのストッパ76を回動させ、係止片77を挿通孔75から突出させて係止孔46に挿入して、制光体21を器具本体20に係止する。
【００５５】
また、ランプ12の交換などの際には、制光体21を保持しつつストッパ76を工具などで回動させて係止片77を挿通孔75に収納し、ヒンジ66を中心として各制光体21を器具本体20の外方へと回動させてランプ収容部37を開け、ランプ12の両角部14をランプホルダ56から取り外した後、ランプ12の口金16をランプソケット44から取り外す。
【００５６】
そして、上記と同様に、新たなランプ12を器具本体20に取り付け、各制光体21にてランプ収容部37を閉じる。
【００５７】
このように、器具本体20の照射開口22に、四角形環状のランプ12のそれぞれの辺13に対向して追い回し状に制光体21をそれぞれ取り付け、互いに隣接する一の制光体21の側枠板部61と他の制光体21の端枠板部62にてそれぞれランプ12の各角部14近傍の辺13に交差する方向に沿って遮光部64を形成することにより、制光体21の隣接部にて四角形環状のランプ12の遮光角を得ることができる。
【００５８】
また、遮光部64とルーバ片63とで、制光体21のランプ12に対向する部分全体でランプ12を遮光できるため、四角形環状のランプ12の略全周でルーバ片63および遮光部64により遮光角を確実に得ることができる。
【００５９】
そして、本実施の形態では、ランプ12の長辺側の方向から見た角部14近傍の辺13、すなわち遮光部64が交差するランプ12の辺13側から見たこの遮光部64の近傍の辺13の遮光角を得ることができる。
【００６０】
さらに、制光体21を追い回し状に配置することで、例えば略ロ字状に形成された制光体を照射開口22から取り外す場合などのように、制光体の中央開口が天井カバー32などに引っ掛かることなどがなく、制光体21を器具本体20から容易に取り外しできるとともに、同じ形状および長さの制光体21を４つ用いて照射開口22に配置することが可能となり、かつこの配置でランプ12の略全周に亘って遮光角を得ることができるから、汎用性および機能性の面で効率がよい。
【００６１】
また、四角形環状のランプ12では、各角部14を曲げ加工する際に熱を加えることで蛍光体が劣化して各辺13よりも各角部14の発光効率が低下するものの、本実施の形態では、ランプ12の各辺13に対向する反射板38を、ランプ12の各角部14でそれぞれ互いに略等角度で連結することで、ランプ12の各角部14で反射板38により効率よく光を反射させるので、ランプ12の各角部14の領域が他の領域よりも暗部となることを防止できる。
【００６２】
さらに、照射開口22の外側縁部と各制光体21との間に、制光体21を照射開口22に対して開閉可能にするヒンジ66を設けることにより、制光体21を照射開口22に対して開けた状態とすることで制光体21を器具本体20から取り外すことなくランプ12を交換でき、このランプ12の交換の作業性を向上できる。
【００６３】
次に、図８に第２の実施の形態を示し、図８は照明器具を示す平面図である。なお、上記第１の実施の形態と同様の構成および作用については、同一符号を付してその説明を省略する。
【００６４】
各制光体21には、ランプ12の角部14に対向する長手方向の一端側にて、両側枠板部61間に傾斜制光片としての傾斜ルーバ片85が架設されている。
【００６５】
各傾斜ルーバ片85は、ランプ12の遮光角を制御するもので、制光体21の幅方向に対して傾斜状に設けられ、隣接する制光体21の端枠板部62側、すなわち器具本体20の内側に位置した側枠板部61から、器具本体20の外側に位置した側枠板部61と端枠板部62との角部へと、器具本体20の対角線上に沿って配設されている。このため、各傾斜ルーバ片85は、ランプ12の各角部14にて、このランプ12と略直交する方向に沿って設けられている。
【００６６】
そして、制光体21のランプ12の各角部14に対応する位置に、制光体21の幅方向に対して傾斜状に傾斜ルーバ片85をそれぞれ設けることで、傾斜ルーバ片85の制光面に対して直交する方向における遮光角を確保できるので、ランプ12の角部14の光を制御できる。
【００６７】
次に、図９に第３の実施の形態を示し、図９は照明器具を示す平面図である。なお、上記各実施の形態と同様の構成および作用については、同一符号を付してその説明を省略する。
【００６８】
傾斜ルーバ片85は、制光体21の幅方向に対して傾斜状に設けられ、器具本体20の外側に位置した側枠板部61から、器具本体20の内側に位置した側枠板部61と端枠板部62との角部へと、傾斜状に配設されている。すなわち、各傾斜ルーバ片85は、器具本体20の対角線と略直交する方向に沿って配設されている。このため、各傾斜ルーバ片85は、ランプ12の角部14にて、このランプ12と略直交する方向に沿って設けられている。
【００６９】
そして、制光体21のランプ12の各角部14に対応する位置に、制光体21の幅方向に対して傾斜状に傾斜ルーバ片85を設けることで、傾斜ルーバ片85の制光面に対して直交する方向における遮光角を確保できるので、ランプ12の角部14の光を制御できる。
【００７０】
なお、上記各実施の形態において、ランプとしては、四角形環状のランプ12に限らず、例えば三角形状、あるいは五角形以上の多角形環状でもよく、さらに、ランプは多重管の構成でもよいものであって、これらの場合にも上述した構造を適用することにより、同様の作用効果が得られる。
【００７１】
この場合には、各反射板38を、ランプ12の角部14で、この角部14の角度を二等分する角度に連結する。したがって、各反射板38は、ランプがｎ角形であるとき、略（９０−１８０／ｎ）°で互いに連結する。
【００７２】
また、上記第２の実施の形態および第３の実施の形態では、各々傾斜ルーバ片85を用いているが、ランプ12の角部14からの光が制御できれば、他のいかなる構成でもよい。例えば、乳白カバー、あるいはパンチングメタルが施された板材などが角部14と対向する領域に設けられていてもよく、このような場合でも角部14からの光を制御できるので、ランプ12の全周における照射光の制御が可能となる。
【図面の簡単な説明】
【００７３】
【図１】本発明の第１の実施の形態の照明器具を示す平面図である。
【図２】同上照明器具の器具本体を示す斜視図である。
【図３】同上器具本体の一部を拡大して示す斜視図である。
【図４】同上照明器具の制光体の一部を拡大して示す斜視図である。
【図５】同上制光体の一部を拡大して示す斜視図である。
【図６】同上制光体を示す斜視図である。
【図７】同上照明器具の一部を示す側面図である。
【図８】本発明の第２の実施の形態の照明器具を示す平面図である。
【図９】本発明の第３の実施の形態の照明器具を示す平面図である。
【符号の説明】
【００７４】
11    照明器具
12    ランプ
20    器具本体
21    制光体
22    照射開口
38    反射板
64    遮光部
66    ヒンジ
85    傾斜制光片としての傾斜ルーバ片
【図１】
2005327576.tif 000003
【図２】
2005327576.tif 000004
【図３】
2005327576.tif 000005
【図４】
2005327576.tif 000006
【図５】
2005327576.tif 000007
【図６】
2005327576.tif 000008
【図７】
2005327576.tif 000009
【図８】
2005327576.tif 000010
【図９】
2005327576.tif 000011